(57)【要約】【課題】本発明は、ＰＯＮにおいて親局装置及び子局装置の間の伝送路障害に対処するため、伝送路障害のない区間の子局装置を介して、親局装置及び伝送路障害のある区間の子局装置の間の冗長ルートを形成するとき、伝送帯域を大きくし、敷設又は撤去の費用を低くすることを目的とする。【解決手段】本発明の冗長化通信システムでは、ＰＳ２と子局装置３−２の区間の伝送路障害箇所Ｄに対して、伝送路障害となった区間の子局装置３−２は、伝送路障害となった区間の子局装置３−２に接続された光空間送受信機６−２、伝送路障害となった区間の子局装置３−２に近接する子局装置３−３に接続された光空間送受信機６−３及び子局装置３−３を順に介して親局装置１と通信する冗長通信ルートＲを備える。【選択図】図３
2013243631.tif 000002
【特許請求の範囲】
【請求項１】
光通信を行う親局装置と、
前記親局装置からの光信号を分岐又は前記親局装置への光信号を結合するパワースプリッタと、
前記パワースプリッタを介して前記親局装置と光通信を行う複数の子局装置と、
前記親局装置と前記パワースプリッタとを接続する共用光ファイバと、
前記パワースプリッタと前記複数の子局装置とをそれぞれ接続する複数の個別光ファイバと、
を備える冗長化通信システムであって、
前記子局装置にそれぞれ１台ずつ接続され、互いに光空間通信を行う複数の光空間送受信機、をさらに備え、
前記パワースプリッタと前記子局装置とのいずれかの区間の伝送路障害に対して、伝送路障害となった区間の子局装置は、前記伝送路障害となった区間の子局装置に接続された前記光空間送受信機、前記伝送路障害となった区間の子局装置に近接する子局装置に接続された前記光空間送受信機及び前記近接する子局装置を順に介して前記親局装置と通信する冗長ルートを備えることを特徴とする冗長化通信システム。
【請求項２】
光通信を行う親局装置と、
前記親局装置からの光信号を分岐又は前記親局装置への光信号を結合するパワースプリッタと、
前記パワースプリッタを介して前記親局装置と光通信を行う複数の子局装置と、
前記親局装置と前記パワースプリッタとを接続する共用光ファイバと、
前記パワースプリッタと前記複数の子局装置とをそれぞれ接続する複数の個別光ファイバと、
を備える冗長化通信システムであって、
前記子局装置にそれぞれ複数台ずつ接続され、異なる前記子局装置に接続された同士が互いに光空間通信を行う複数の光空間送受信機、をさらに備え、
前記パワースプリッタと前記子局装置とのいずれかの区間の伝送路障害に対して、伝送路障害となった区間の子局装置は、前記伝送路障害となった区間の子局装置に接続された複数の前記光空間送受信機のうちの１つ、前記伝送路障害となった区間の子局装置に近接する子局装置に接続された複数の前記光空間送受信機のうちの１つ及び前記近接する子局装置を順に介して前記親局装置と通信する冗長ルートを備えることを特徴とする冗長化通信システム。
【請求項３】
前記親局装置は、前記伝送路障害を検出すると、前記伝送路障害となった区間の子局装置に近接する子局装置に、前記冗長ルートの開通を指示することを特徴とする請求項１又は２に記載の冗長化通信システム。
【請求項４】
前記伝送路障害となった区間の子局装置が、前記伝送路障害を検出すると、前記冗長ルートの開通を行うことを特徴とする請求項１から３のいずれかに記載の冗長化通信システム。
【請求項５】
前記親局装置が、一定周期毎に、前記子局装置に接続された前記光空間送受信機を起動し、前記子局装置に近接する子局装置に接続された前記光空間送受信機と光空間通信させ、前記子局装置を介して前記光空間通信の設定状況を前記親局装置に報告させることを特徴とする請求項１から４のいずれかに記載の冗長化通信システム。
【請求項６】
前記子局装置が、一定周期毎に、前記子局装置に接続された前記光空間送受信機を起動し、前記子局装置に近接する子局装置に接続された前記光空間送受信機と光空間通信させ、前記光空間通信の設定状況を前記親局装置に報告することを特徴とする請求項１から５のいずれかに記載の冗長化通信システム。
【請求項７】
前記光空間送受信機同士で光空間通信を開始する際に、前記伝送路障害となった区間の子局装置に接続された光空間送受信機の接続待ち時間と、前記伝送路障害となった区間の子局装置に近接する子局装置に接続された光空間送受信機の接続待ち時間とが異なることを特徴とする請求項１から６のいずれかに記載の冗長化通信システム。
【請求項８】
前記子局装置からの要求に応じて前記親局装置が前記子局装置へ占有帯域を割り当てる動的帯域割当制御を行う際に、前記冗長ルートにあって前記伝送路障害となった区間の子局装置に近接する子局装置への割当は他の子局装置への割当よりも大きな重み付けとすることを特徴とする請求項１から７のいずれかに記載の冗長化通信システム。
【請求項９】
前記親局装置からの光信号を前記子局装置及び前記光空間送受信機に分岐、又は前記子局装置から前記親局装置への光信号及び前記光空間送受信機から前記親局装置への光信号を結合する分岐スプリッタ、をさらに備え、
前記パワースプリッタと前記子局装置とのいずれかの区間の伝送路障害に対して、伝送路障害となった区間の子局装置は、前記近接する子局装置をバイパスして前記分岐スプリッタを経由する冗長ルートを備えることを特徴とする請求項１から７のいずれかに記載の冗長化通信システム。
【請求項１０】
前記光空間送受信機が光空間通信を行う際、予め登録されている送受信設定情報に基づいて、前記光空間送受信機が光ビームの送信方向及び受信方向を決定することを特徴とする請求項１から９のいずれかに記載の冗長化通信システム。
【請求項１１】
定期的に又は前記子局装置の要求に応じて、前記親局装置が前記子局装置に当該子局装置の前記送受信設定情報を配信することを特徴とする請求項１０に記載の冗長化通信システム。
【発明の詳細な説明】
【技術分野】
【０００１】
本発明は、ＰＯＮ（Ｐａｓｓｉｖｅ  Ｏｐｔｉｃａｌ  Ｎｅｔｗｏｒｋ）において、親局装置及び子局装置の間の伝送路障害に対処する技術に関する。
【背景技術】
【０００２】
従来技術のＰＯＮの構成を図１に示す。従来技術のＰＯＮは、親局装置１、パワースプリッタ（ＰＳ）２、子局装置３−１、３−２、３−３、３−４、３−５、３−６、３−７、３−８、共用光ファイバ４及び個別光ファイバ５から構成される。
【０００３】
ＰＳ２及び子局装置３−２の間の個別光ファイバ５において伝送路障害箇所Ｄが発生したとき、非特許文献１、２に開示の技術を利用して、他の子局装置３を介したＰＳ２及び子局装置３−２の間の冗長ルートを形成することができる。
【０００４】
非特許文献１に開示の技術は、子局装置３同士の間で光ファイバを利用することにより、冗長ルートを形成することができる。非特許文献２に開示の技術は、子局装置３同士の間で無線通信を利用することにより、冗長ルートを形成することができる。
【先行技術文献】
【非特許文献】
【０００５】
【非特許文献１】Ｃ．Ｈ．Ｙｅｈ，  Ｃ．Ｗ． Ｃｈｏｗ，  ａｎｄ  Ｙ．Ｌ．Ｌｉｕ，  “Ｓｅｌｆ−ｐｒｏｔｅｃｔｅｄ  ｒｉｎｇ−ｓｔａｒ−ａｒｃｈｉｔｅｃｔｕｒｅ  ＴＤＭ  ｐａｓｓｉｖｅ  ｏｐｔｉｃａｌ  ｎｅｔｗｏｒｋ  ｗｉｔｈ  ｔｒｉｐｌｅ−ｐｌａｙ  ｍａｎａｇｅｍｅｎｔ”，  Ｏｐｔｉｃｓ  Ｃｏｍｍｕｎｉｃａｔｉｏｎｓ  ２８４（２０１１）ｐｐ．３２４８−３２５０．
【非特許文献２】Ｔａｉｍｉｎｇ  Ｆｅｎｇ，  ａｎｄ  Ｌｕ  Ｒｕａｎ，  “Ｄｅｓｉｇｎ  ｏｆ  ａ  Ｓｕｒｖｉｖａｂｌｅ  Ｈｙｂｒｉｄ  Ｗｉｒｅｌｅｓｓ−Ｏｐｔｉｃａｌ  Ｂｒｏａｄｂａｎｄ−Ａｃｃｅｓｓ  Ｎｅｔｗｏｒｋ，”  Ｊ．  ＯＰＴ．  ＣＯＭＭＵＮ．  ＮＥＴＷ．，  ＶＯＬ．３，  ＮＯ．５，  ＭＡＹ  ２０１１．
【発明の概要】
【発明が解決しようとする課題】
【０００６】
しかし、非特許文献１に開示の技術は、光ファイバを利用するため、伝送帯域が大きいが、敷設又は撤去の費用が高くなる。そして、非特許文献２に開示の技術は、無線通信を利用するため、敷設又は撤去の費用が低くなるが、伝送帯域が小さい。このように、非特許文献１、２に開示の技術は、それぞれ一長一短がある。
【０００７】
そこで、前記課題を解決するために、本発明は、ＰＯＮにおいて親局装置及び子局装置の間の伝送路障害に対処するため、伝送路障害のない区間の子局装置を介して、親局装置及び伝送路障害のある区間の子局装置の間の冗長ルートを形成するとき、伝送帯域を大きくし、敷設又は撤去の費用を低くすることを目的とする。
【課題を解決するための手段】
【０００８】
伝送路障害のある区間の子局装置及び伝送路障害のない区間の子局装置の間で、光空間通信（ＦＳＯ：Ｆｒｅｅ  Ｓｐａｃｅ  Ｏｐｔｉｃｓ）を利用することとした。
【０００９】
具体的には、本発明は、光通信を行う親局装置と、前記親局装置からの光信号を分岐又は前記親局装置への光信号を結合するパワースプリッタと、前記パワースプリッタを介して前記親局装置と光通信を行う複数の子局装置と、前記親局装置と前記パワースプリッタとを接続する共用光ファイバと、前記パワースプリッタと前記複数の子局装置とをそれぞれ接続する複数の個別光ファイバと、を備える冗長化通信システムであって、前記子局装置にそれぞれ１台ずつ接続され、互いに光空間通信を行う複数の光空間送受信機、をさらに備え、前記パワースプリッタと前記子局装置とのいずれかの区間の伝送路障害に対して、伝送路障害となった区間の子局装置は、前記伝送路障害となった区間の子局装置に接続された前記光空間送受信機、前記伝送路障害となった区間の子局装置に近接する子局装置に接続された前記光空間送受信機及び前記近接する子局装置を順に介して前記親局装置と通信する冗長ルートを備えることを特徴とする冗長化通信システムである。
【００１０】
この構成によれば、伝送路障害のある区間の子局装置に接続された光空間送受信機が、伝送路障害のない区間の子局装置に接続された光空間送受信機と光空間通信を行うため、伝送帯域を大きくし、敷設又は撤去の費用を低くすることができる。
【００１１】
また、本発明は、光通信を行う親局装置と、前記親局装置からの光信号を分岐又は前記親局装置への光信号を結合するパワースプリッタと、前記パワースプリッタを介して前記親局装置と光通信を行う複数の子局装置と、前記親局装置と前記パワースプリッタとを接続する共用光ファイバと、前記パワースプリッタと前記複数の子局装置とをそれぞれ接続する複数の個別光ファイバと、を備える冗長化通信システムであって、前記子局装置にそれぞれ複数台ずつ接続され、異なる前記子局装置に接続された同士が互いに光空間通信を行う複数の光空間送受信機、をさらに備え、前記パワースプリッタと前記子局装置とのいずれかの区間の伝送路障害に対して、伝送路障害となった区間の子局装置は、前記伝送路障害となった区間の子局装置に接続された複数の前記光空間送受信機のうちの１つ、前記伝送路障害となった区間の子局装置に近接する子局装置に接続された複数の前記光空間送受信機のうちの１つ及び前記近接する子局装置を順に介して前記親局装置と通信する冗長ルートを備えることを特徴とする冗長化通信システムである。
【００１２】
この構成によれば、伝送路障害のある区間の子局装置に接続された複数の光空間送受信機が、伝送路障害のない区間の複数の子局装置に接続された光空間送受信機と光空間通信を試行するため、伝送路障害のない区間の子局装置を介して、親局装置及び伝送路障害のある区間の子局装置の間の冗長ルートを早急に形成することができる。
【００１３】
また、本発明は、前記親局装置は、前記伝送路障害を検出すると、前記伝送路障害となった区間の子局装置に近接する子局装置に、前記冗長ルートの開通を指示することを特徴とする冗長化通信システムである。
【００１４】
この構成によれば、伝送路障害のない区間の子局装置が冗長ルートに含まれるように、親局装置が起点となって伝送路障害のない区間の子局装置に指示するため、冗長ルートを形成することができる。伝送路障害のない区間の子局装置が冗長ルートに含まれるように、親局装置が起点となって伝送路障害のない区間の子局装置に指示するとともに、伝送路障害のある区間の子局装置が起点となって伝送路障害のない区間の子局装置に依頼すれば、冗長ルートを早急に形成することができる。
【００１５】
また、本発明は、前記伝送路障害となった区間の子局装置が、前記伝送路障害を検出すると、前記冗長ルートの開通を行うことを特徴とする冗長化通信システムである。
【００１６】
この構成によれば、伝送路障害のない区間の子局装置が冗長ルートに含まれるように、伝送路障害のある区間の子局装置が起点となって伝送路障害のない区間の子局装置に依頼するため、冗長ルートを形成することができる。伝送路障害のない区間の子局装置が冗長ルートに含まれるように、伝送路障害のある区間の子局装置が起点となって伝送路障害のない区間の子局装置に依頼するとともに、親局装置が起点となって伝送路障害のない区間の子局装置に指示すれば、冗長ルートを早急に形成することができる。
【００１７】
また、本発明は、前記親局装置が、一定周期毎に、前記子局装置に接続された前記光空間送受信機を起動し、前記子局装置に近接する子局装置に接続された前記光空間送受信機と光空間通信させ、前記子局装置を介して前記光空間通信の設定状況を前記親局装置に報告させることを特徴とする冗長化通信システムである。
【００１８】
この構成によれば、親局装置が子局装置に光空間通信の設定状況の情報を要求することにより、親局装置は光空間通信の設定状況を把握することができるため、親局装置は伝送路障害のある区間の子局装置に近接する伝送路障害のない区間の子局装置を把握することができる。
【００１９】
また、本発明は、前記子局装置が、一定周期毎に、前記子局装置に接続された前記光空間送受信機を起動し、前記子局装置に近接する子局装置に接続された前記光空間送受信機と光空間通信させ、前記光空間通信の設定状況を前記親局装置に報告することを特徴とする冗長化通信システムである。
【００２０】
この構成によれば、子局装置が親局装置に光空間通信の設定状況の情報を提供することにより、親局装置は光空間通信の設定状況を把握することができるため、親局装置は伝送路障害のある区間の子局装置に近接する伝送路障害のない区間の子局装置を把握することができる。
【００２１】
また、本発明は、前記光空間送受信機同士で光空間通信を開始する際に、前記伝送路障害となった区間の子局装置に接続された光空間送受信機の接続待ち時間と、前記伝送路障害となった区間の子局装置に近接する子局装置に接続された光空間送受信機の接続待ち時間とが異なることを特徴とする冗長化通信システムである。
【００２２】
この構成によれば、伝送路障害のある区間の子局装置及び伝送路障害のない区間の子局装置の間において、通信のすれ違いを防止することができるため、確実に冗長ルートを形成することができる。
【００２３】
また、本発明は、前記子局装置からの要求に応じて前記親局装置が前記子局装置へ占有帯域を割り当てる動的帯域割当制御を行う際に、前記冗長ルートにあって前記伝送路障害となった区間の子局装置に近接する子局装置への割当は他の子局装置への割当よりも大きな重み付けとすることを特徴とする冗長化通信システムである。
【００２４】
この構成によれば、自装置が送信すべきデータを親局装置に送信するうえに、伝送路障害のある区間の子局装置が送信すべきデータも親局装置に送信する必要がある伝送路障害のない区間の子局装置には、上り帯域を多く割り当てる。よって、伝送路障害のない区間の子局装置の間で上り帯域割当の不公平感がなくなる。
【００２５】
また、本発明は、前記親局装置からの光信号を前記子局装置及び前記光空間送受信機に分岐、又は前記子局装置から前記親局装置への光信号及び前記光空間送受信機から前記親局装置への光信号を結合する分岐スプリッタ、をさらに備え、前記パワースプリッタと前記子局装置とのいずれかの区間の伝送路障害に対して、伝送路障害となった区間の子局装置は、前記近接する子局装置をバイパスして前記分岐スプリッタを経由する冗長ルートを備えることを特徴とする冗長化通信システムである。
【００２６】
この構成によれば、冗長ルートに含まれる伝送路障害のない区間の子局装置であっても、自装置が送受信すべきデータを送受信すればよく、伝送路障害のある区間の子局装置が送受信すべきデータを送受信する必要がなく、データの送受信の処理負担を軽減することができる。
【００２７】
また、本発明は、前記光空間送受信機が光空間通信を行う際、予め登録されている送受信設定情報に基づいて、前記光空間送受信機が光ビームの送信方向及び受信方向を決定することを特徴とする冗長化通信システムである。
【００２８】
この構成によれば、伝送路障害のある区間の子局装置及び伝送路障害のない区間の子局装置の間の光空間通信の経路を確実に確立することができるため、確実に冗長ルートを形成することができる。
【００２９】
また、本発明は、定期的に又は前記子局装置の要求に応じて、前記親局装置が前記子局装置に当該子局装置の前記送受信設定情報を配信することを特徴とする冗長化通信システムである。
【００３０】
この構成によれば、親局装置が子局装置の送受信設定情報をデータベース（ＤＢ：Ｄａｔａｂａｓｅ）管理して子局装置に配信することができるため、子局装置は自装置の信頼性の高い送受信設定情報を取得することができる。
【発明の効果】
【００３１】
本発明は、ＰＯＮにおいて親局装置及び子局装置の間の伝送路障害に対処するため、伝送路障害のない区間の子局装置を介して、親局装置及び伝送路障害のある区間の子局装置の間の冗長ルートを形成するとき、伝送帯域を大きくし、敷設又は撤去の費用を低くすることができる。
【図面の簡単な説明】
【００３２】
【図１】従来技術のＰＯＮの構成を示す図である。
【図２】実施形態１のＰＯＮの構成及び開通前の処理を示す図である。
【図３】実施形態１のＰＯＮの構成及び開通後の処理を示す図である。
【図４】実施形態１の親局装置における非障害時のリストを示す図である。
【図５】実施形態１の親局装置における障害時かつ開通前のリストを示す図である。
【図６】実施形態１のＰＯＮにおける障害時及び開通時の処理を示す図である。
【図７】実施形態１のＰＯＮにおける障害時及び失敗時の処理を示す図である。
【図８】実施形態１の親局装置における障害時の処理の詳細を示す図である。
【図９】実施形態１の切断子局装置における障害時の処理の詳細を示す図である。
【図１０】実施形態１の親局装置における障害時かつ開通後のリストを示す図である。
【図１１】実施形態１の親局装置における障害時かつ失敗後のリストを示す図である。
【図１２】実施形態２のＰＯＮの構成及び開通前の処理を示す図である。
【図１３】実施形態２のＰＯＮの構成及び開通後の処理を示す図である。
【図１４】実施形態６のＰＯＮの構成及び開通後の処理を示す図である。
【図１５】実施形態６のＰＯＮの構成及び開通後の処理を示す図である。
【発明を実施するための形態】
【００３３】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００３４】
（実施形態１）
実施形態１のＰＯＮの構成及び開通前の処理を図２に示す。実施形態１のＰＯＮの構成及び開通後の処理を図３に示す。実施形態１のＰＯＮは、親局装置１、ＰＳ２、子局装置３−１、３−２、３−３、３−４、３−５、３−６、３−７、３−８、共用光ファイバ４、個別光ファイバ５、光空間送受信機６−１、６−２、６−３、６−４、６−５、６−６、６−７、６−８及び子局光ファイバ７から構成される。
【００３５】
親局装置１は、子局装置３−１、３−２、３−３、３−４、３−５、３−６、３−７、３−８と光通信を行う。ＰＳ２は、親局装置１からの光信号を分岐又は親局装置１への光信号を結合する。子局装置３−１、３−２、３−３、３−４、３−５、３−６、３−７、３−８は、ＰＳ２を介して親局装置１と光通信を行う。共用光ファイバ４は、親局装置１とＰＳ２とを接続する。個別光ファイバ５は、ＰＳ２と子局装置３−１、３−２、３−３、３−４、３−５、３−６、３−７、３−８とをそれぞれ接続する。
【００３６】
光空間送受信機６−１、６−２、６−３、６−４、６−５、６−６、６−７、６−８は、子局装置３−１、３−２、３−３、３−４、３−５、３−６、３−７、３−８にそれぞれ接続され、互いに光空間通信を行う。子局光ファイバ７は、子局装置３−１、３−２、３−３、３−４、３−５、３−６、３−７、３−８と、光空間送受信機６−１、６−２、６−３、６−４、６−５、６−６、６−７、６−８と、をそれぞれ接続する。
【００３７】
図２に示した開通前の処理について説明する。ＰＳ２及び子局装置３−２の間の個別光ファイバ５において、伝送路障害箇所Ｄが発生する。親局装置１は、伝送路障害を検出すると、伝送路障害となった区間の子局装置３−２に近接する子局装置３−３に、冗長ルートの開通を指示する。そして、光空間送受信機６−３は、親局装置１から子局装置３−３への指示に基づいて、光空間送受信機６−２と光空間通信を試行する。伝送路障害となった区間の子局装置３−２は、伝送路障害を検出すると、冗長ルートの開通を行う。そして、光空間送受信機６−２は、親局装置１からの指示によらない子局装置３−２の自発的な処理に基づいて、光空間送受信機６−３と光空間通信を試行する。
【００３８】
ここで、親局装置１から子局装置３−３への指示に基づく、光空間送受信機６−３から光空間送受信機６−２への光空間通信の試行は、親局装置１からの指示によらない子局装置３−２の自発的な処理に基づく、光空間送受信機６−２から光空間送受信機６−３への光空間通信の試行と、時間的に並行して行なわれる。
【００３９】
図３に示した開通後の処理について説明する。光空間送受信機６−２、６−３は、光空間通信ルートＦを確立する。伝送路障害となった区間の子局装置３−２は、伝送路障害となった区間の子局装置３−２に接続された光空間送受信機６−２、伝送路障害となった区間の子局装置３−２に近接する子局装置３−３に接続された光空間送受信機６−３及び子局装置３−３を順に介して、親局装置１と通信する冗長通信ルートＲを備える。
【００４０】
このように、子局装置３−２に接続された光空間送受信機６−２が、子局装置３−３に接続された光空間送受信機６−３と光空間通信を行うため、伝送帯域を大きくし、敷設又は撤去の費用を低くすることができる。
【００４１】
子局装置３−３が冗長通信ルートＲに含まれるように、親局装置１が起点となって子局装置３−３に指示するため、冗長通信ルートＲを形成することができる。子局装置３−３が冗長通信ルートＲに含まれるように、子局装置３−２が起点となって子局装置３−３に依頼するため、冗長通信ルートＲを形成することができる。子局装置３−３が冗長通信ルートＲに含まれるように、親局装置１が起点となって子局装置３−３に指示するとともに、子局装置３−２が起点となって子局装置３−３に依頼すれば、冗長通信ルートＲを早急に形成することができる。
【００４２】
次に、伝送路障害が発生する前の処理について説明する。ここでは、親局装置１及び子局装置３−２の間の通信について説明するが、親局装置１及び他の子局装置３−１、３−３、３−４、３−５、３−６、３−７、３−８の間の通信についても同様である。
【００４３】
子局装置３−２及び光空間送受信機６−２が設置される時には、以下の処理が行なわれる。装置設置者は、光空間送受信機６−２及び他の光空間送受信機６の間の物理的距離又は送受信強度に基づいて、光空間送受信機６−２に近接する他の光空間送受信機６を選択する。具体的には、装置設置者は、第１近接光空間送受信機として光空間送受信機６−３を選択し、第２近接光空間送受信機として光空間送受信機６−１を選択し、第３近接光空間送受信機として光空間送受信機６−４を選択し、第４近接光空間送受信機として光空間送受信機６−５を選択し、選択結果を子局装置３−２に入力する。
【００４４】
装置設置者は、子局装置３−２及び光空間送受信機６−２の状態として、以下の状態を検出する。「ＦＴ（Ｆｉｂｅｒ  Ｔｒａｎｓｍｉｓｓｉｏｎ）状態」は、子局装置３−２が親局装置１と通信可能か通信不能かを示し、通信可能であれば「Ｕ（Ｕｐ）」となり、通信不能であれば「Ｄ（Ｄｏｗｎ）」となる。「ＦＳＯ状態」は、光空間送受信機６−２が起動中か非起動中かを示し、起動中であれば「Ｕ」となり、非起動中であれば「Ｄ」となる。「接続状態」は、子局装置３−２及び親局装置１の通信ルートが通常通信ルートか冗長通信ルートかを示し、通常通信ルートであれば「ＦＴ」となり、冗長通信ルートであれば「ＦＳ（Ｆｒｅｅ  Ｓｐａｃｅ）」となる。「接続ＦＳＯ数」は、光空間送受信機６−２が何台の他の光空間送受信機６と通信しているかを示す。
【００４５】
装置設置者は、ＦＴ状態、ＦＳＯ状態、接続状態及び接続ＦＳＯ数を検出する。具体的には、装置設置者は、「ＦＴ状態」として「Ｕ」を検出し、「ＦＳＯ状態」として「Ｕ」を検出し、「接続状態」として「ＦＴ」を検出し、「接続ＦＳＯ数」として「０」を検出し、検出結果を子局装置３−２に入力する。子局装置３−２は、選択結果及び検出結果を光空間通信の設定状況として、親局装置１の指示又は自子局装置３−２の自発により、親局装置１に報告する。
【００４６】
子局装置３−２及び光空間送受信機６−２が設置された後には、以下の処理が行なわれる。親局装置１は、一定周期毎に、子局装置３−２に接続された光空間送受信機６−２を起動し、子局装置３−２に近接する子局装置３−３などの子局装置３に接続された光空間送受信機６−３などの光空間送受信機６と光空間通信させ、子局装置３−２を介して光空間通信の設定状況を親局装置１に報告させる。子局装置３−２は、一定周期毎に、子局装置３−２に接続された光空間送受信機６−２を起動し、子局装置３−２に近接する子局装置３−３などの子局装置３に接続された光空間送受信機６−３などの光空間送受信機６と光空間通信させ、光空間通信の設定状況を親局装置１に報告する。
【００４７】
実施形態１の親局装置における非障害時のリストを図４に示す。ＰＳ２及び子局装置３−２の間の個別光ファイバ５において、伝送路障害箇所Ｄが発生する前である。子局装置３−２について、「ＦＴ状態」として「Ｕ」が、「ＦＳＯ状態」として「Ｕ」が、「接続状態」として「ＦＴ」が、「接続ＦＳＯ数」として「０」が、「第１近接光空間送受信機」として「光空間送受信機６−３」が、「第２近接光空間送受信機」として「光空間送受信機６−１」が、「第３近接光空間送受信機」として「光空間送受信機６−４」が、「第４近接光空間送受信機」として「光空間送受信機６−５」が、登録されている。
【００４８】
このように、親局装置１が子局装置３−２に光空間通信の設定状況の情報を要求することにより、親局装置１は光空間通信の設定状況を把握することができるため、親局装置１は子局装置３−２に近接する子局装置３−３などの子局装置３を把握することができる。そして、子局装置３−２が親局装置１に光空間通信の設定状況の情報を提供することにより、親局装置１は光空間通信の設定状況を把握することができるため、親局装置１は子局装置３−２に近接する子局装置３−３などの子局装置３を把握することができる。
【００４９】
ここで、親局装置１は、定期的に又は子局装置３−２の要求に応じて、子局装置３−２に子局装置３−２の光空間通信の設定状況の情報を配信することができる。すると、親局装置１が子局装置３−２の光空間通信の設定状況の情報をＤＢ管理して子局装置３−２に配信することができるため、子局装置３−２は自子局装置３−２の信頼性の高い光空間通信の設定状況の情報を取得することができる。
【００５０】
次に、伝送路障害が発生した後の処理について説明する。ここでは、親局装置１及び子局装置３−２の間の通信について説明するが、親局装置１及び他の子局装置３−１、３−３、３−４、３−５、３−６、３−７、３−８の間の通信についても同様である。
【００５１】
実施形態１の親局装置における障害時かつ開通前のリストを図５に示す。ＰＳ２及び子局装置３−２の間の個別光ファイバ５において、伝送路障害箇所Ｄが発生した後であり、冗長通信ルートＲが開通する前である。図５に示した障害時かつ開通前のリストでは、図４に示した非障害時のリストと異なり、子局装置３−２について、「ＦＴ状態」として「Ｄ」が登録されており、「ＦＴ状態」が「Ｄ」である以上、「ＦＳＯ状態」、「接続状態」及び「接続ＦＳＯ数」は不明であり、不明な状態に対して「−」が登録されている。
【００５２】
実施形態１のＰＯＮにおける障害時及び開通時の処理を図６に示す。実施形態１のＰＯＮにおける障害時及び失敗時の処理を図７に示す。実施形態１の親局装置における障害時の処理の詳細を図８に示す。実施形態１の切断子局装置における障害時の処理の詳細を図９に示す。図６から図９の説明では、伝送路障害が発生した子局装置３−２を切断子局装置３−２と呼び、切断子局装置３−２に近接する子局装置３を近接子局装置３と呼ぶ。
【００５３】
親局装置１は、切断子局装置３−２を特定する（ステップＳＴ１）。親局装置１は、切断子局装置３−２とＦＳＯ通信可能な近接子局装置３のリストを、ＤＢから読み込む（ステップＳＴ２）。親局装置１は、いずれかの近接子局装置３に接続されたいずれかの光空間送受信機６に、切断子局装置３−２に接続された光空間送受信機６−２と、ＦＳＯ通信するよう指示する（ステップＳＴ３）。いずれかの近接子局装置３は、自近接子局装置３に接続されたいずれかの光空間送受信機６に、切断子局装置３−２に接続された光空間送受信機６−２と、ＦＳＯ通信するよう指示する（ステップＳＮ１）。
【００５４】
切断子局装置３−２は、親局装置１と切断されていると判断する（ステップＳＤ１）。切断子局装置３−２は、自切断子局装置３−２とＦＳＯ通信可能な近接子局装置３のリストを、親局装置１と切断される前に親局装置１から取得しており、親局装置１と切断された時に読み込む（ステップＳＤ２）。切断子局装置３−２は、自切断子局装置３−２に接続された光空間送受信機６−２に、いずれかの近接子局装置３に接続されたいずれかの光空間送受信機６と、ＦＳＯ通信するよう指示する（ステップＳＤ３）。
【００５５】
ステップＳＴ１、ＳＴ２、ＳＴ３、ＳＮ１の親局装置１から近接子局装置３への指示に基づく処理は、ステップＳＤ１、ＳＤ２、ＳＤ３の親局装置１からの指示によらない切断子局装置３−２の自発的な処理に基づく処理と、時間的に並行して行なわれる。
【００５６】
ステップＳＴ１、ＳＴ２、ＳＴ３、ＳＮ１の処理に基づいて、ＦＳＯ通信が開通したとき（ステップＳＮ２）、又は、ステップＳＤ１、ＳＤ２、ＳＤ３の処理に基づいて、ＦＳＯ通信が開通したとき（ステップＳＤ４）、近接子局装置３は、ＦＳＯ通信が開通したことを、親局装置１に報告する（ステップＳＮ３）。親局装置１は、切断子局装置３−２の冗長通信ルートＲが開通したと判断する（ステップＳＴ４）。親局装置１は、ＤＢのリストを図１０に後述のように更新する（ステップＳＴ５）。
【００５７】
ステップＳＴ１、ＳＴ２、ＳＴ３、ＳＮ１の処理に基づいて、ＦＳＯ通信が失敗したとき（ステップＳＮ４）、かつ、ステップＳＤ１、ＳＤ２、ＳＤ３の処理に基づいて、ＦＳＯ通信が失敗したとき（ステップＳＤ５）、近接子局装置３は、ＦＳＯ通信が失敗したことを、親局装置１に報告する（ステップＳＮ４）。親局装置１は、切断子局装置３−２の通信が切断されたと判断する（ステップＳＴ６）。親局装置１は、ＤＢのリストを図１１に後述のように更新する（ステップＳＴ７）。
【００５８】
図６、７に示したステップＳＴ３、ＳＴ４、ＳＴ６の処理の詳細が、図８に示した処理となる。親局装置１は、切断子局装置３−２についてのリストの優先順位に基づいて、いずれかの近接子局装置３を選択する（ステップＳＴ１１）。具体的には、親局装置１は、図５に示した切断子局装置３−２についてのリストの優先順位に基づいて、まず第１近接光空間送受信機６−３が接続されている近接子局装置３−３を選択する。
【００５９】
親局装置１は、選択した近接子局装置３−３に接続された第１近接光空間送受信機６−３に、切断子局装置３−２に接続された光空間送受信機６−２と、ＦＳＯ通信するよう指示する（ステップＳＴ１２）。親局装置１は、選択した近接子局装置３−３からＦＳＯ開通の報告があったかどうかを判断する（ステップＳＴ１３）。
【００６０】
親局装置１は、選択した近接子局装置３−３からＦＳＯ開通の報告があったときには（ステップＳＴ１３においてＹＥＳ）、切断子局装置３−２の冗長通信ルートＲが開通したと判断する（ステップＳＴ１４）。親局装置１は、選択した近接子局装置３−３からＦＳＯ開通の報告がなかったときには（ステップＳＴ１３においてＮＯ）、切断子局装置３−２についてのリストの優先順位に基づいて、他のいずれかの近接子局装置３を選択することができるかどうかを判断する（ステップＳＴ１５）。
【００６１】
親局装置１は、他のいずれかの近接子局装置３を選択することができるときには（ステップＳＴ１５においてＹＥＳ）、選択した他のいずれかの近接子局装置３について、ステップＳＴ１１からの処理を実行する。親局装置１は、他のいずれかの近接子局装置３を選択することができないときには（ステップＳＴ１５においてＮＯ）、切断子局装置３−２の通信が切断されたと判断する（ステップＳＴ１６）。
【００６２】
図６、７に示したステップＳＤ３、ＳＤ４、ＳＤ５の処理の詳細が、図９に示した処理となる。切断子局装置３−２は、自切断子局装置３−２についてのリストの優先順位に基づいて、いずれかの近接子局装置３を選択する（ステップＳＤ１１）。具体的には、切断子局装置３−２は、図５に示した自切断子局装置３−２についてのリストの優先順位に基づいて、まず第１近接光空間送受信機６−３が接続されている近接子局装置３−３を選択する。
【００６３】
切断子局装置３−２は、自切断子局装置３−２に接続された光空間送受信機６−２に、選択した近接子局装置３−３に接続された第１近接光空間送受信機６−３と、ＦＳＯ通信するよう指示する（ステップＳＤ１２）。切断子局装置３−２は、選択した近接子局装置３−３とＦＳＯ通信を確立することができたかどうかを判断する（ステップＳＤ１３）。
【００６４】
切断子局装置３−２は、選択した近接子局装置３−３とＦＳＯ通信を確立することができたときには（ステップＳＤ１３においてＹＥＳ）、ＦＳＯ通信が開通したと判断する（ステップＳＤ１４）。切断子局装置３−２は、選択した近接子局装置３−３とＦＳＯ通信を確立することができないときには（ステップＳＤ１３においてＮＯ）、自切断子局装置３−２についてのリストの優先順位に基づいて、他のいずれかの近接子局装置３を選択することができるかどうかを判断する（ステップＳＤ１５）。
【００６５】
切断子局装置３−２は、他のいずれかの近接子局装置３を選択することができるときには（ステップＳＤ１５においてＹＥＳ）、選択した他のいずれかの近接子局装置３について、ステップＳＤ１１からの処理を実行する。切断子局装置３−２は、他のいずれかの近接子局装置３を選択することができないときには（ステップＳＤ１５においてＮＯ）、ＦＳＯ通信が失敗したと判断する（ステップＳＤ１６）。
【００６６】
実施形態１の親局装置における障害時かつ開通後のリストを図１０に示す。ＰＳ２及び子局装置３−２の間の個別光ファイバ５において、伝送路障害箇所Ｄが発生した後であり、子局装置３−３及び光空間送受信機６−３を介することにより、冗長通信ルートＲを形成することができた場合である。図１０に示した障害時かつ開通後のリストでは、図５に示した障害時かつ開通前のリストと異なり、子局装置３−２について、「ＦＳＯ状態」として「Ｕ」が登録されており、「接続状態」として「ＦＳ」が登録されている。子局装置３−２、３−３の間でＦＳＯ通信が開通したため、子局装置３−２についてのみならず、子局装置３−３についても同様に、「接続ＦＳＯ数」として「１」が登録されている。
【００６７】
実施形態１の親局装置における障害時かつ失敗後のリストを図１１に示す。ＰＳ２及び子局装置３−２の間の個別光ファイバ５において、伝送路障害箇所Ｄが発生した後であり、いずれの子局装置３及びいずれの光空間送受信機６を介しても、冗長通信ルートＲを形成することができない場合である。図１１に示した障害時かつ失敗後のリストでは、図５に示した障害時かつ開通前のリストと異なり、子局装置３−２について、「ＦＳＯ状態」として「Ｄ」が登録されており、「ＦＳＯ状態」が「Ｄ」である以上、「接続状態」及び「接続ＦＳＯ数」は不明であり、不明な状態に対して「−」が登録されている。
【００６８】
（実施形態２）（請求項２対応箇所）
実施形態２のＰＯＮの構成及び開通前の処理を図１２に示す。実施形態２のＰＯＮの構成及び開通後の処理を図１３に示す。実施形態２のＰＯＮは、親局装置１、ＰＳ２、子局装置３−１、３−２、３−３、３−４、３−５、３−６、３−７、３−８、共用光ファイバ４、個別光ファイバ５、光空間送受信機６−１１、６−１２、６−２１、６−２２、６−３１、６−３２、６−４１、６−４２、６−５１、６−５２、６−６１、６−６２、６−７１、６−７２、６−８１、６−８２及び子局光ファイバ７から構成される。
【００６９】
光空間送受信機６−１１、６−１２は、子局装置３−１に接続される。光空間送受信機６−２１、６−２２は、子局装置３−２に接続される。光空間送受信機６−３１、６−３２は、子局装置３−３に接続される。光空間送受信機６−４１、６−４２は、子局装置３−４に接続される。光空間送受信機６−５１、６−５２は、子局装置３−５に接続される。光空間送受信機６−６１、６−６２は、子局装置３−６に接続される。光空間送受信機６−７１、６−７２は、子局装置３−７に接続される。光空間送受信機６−８１、６−８２は、子局装置３−８に接続される。ここで、異なる子局装置３に接続された光空間送受信機６同士は、互いに光空間通信を行う。しかし、同一の子局装置３に接続された光空間送受信機６同士は、互いに光空間通信を行わない。
【００７０】
図１２に示した開通前の処理について説明する。ＰＳ２及び子局装置３−２の間の個別光ファイバ５において、伝送路障害箇所Ｄが発生する。親局装置１は、伝送路障害を検出すると、伝送路障害となった区間の子局装置３−２に近接する子局装置３−１、３−３に、冗長ルートの開通を指示する。そして、光空間送受信機６−１１、６−３２は、それぞれ親局装置１から子局装置３−１、３−３への指示に基づいて、それぞれ光空間送受信機６−２１、６−２２と光空間通信を試行する。伝送路障害となった区間の子局装置３−２は、伝送路障害を検出すると、冗長ルートの開通を行う。そして、光空間送受信機６−２１、６−２２は、親局装置１からの指示によらない子局装置３−２の自発的な処理に基づいて、それぞれ光空間送受信機６−３１、６−１２と光空間通信を試行する。
【００７１】
ここで、親局装置１から子局装置３−１、３−３への指示にそれぞれ基づく、光空間送受信機６−１１、６−３２から光空間送受信機６−２１、６−２２への上述の光空間通信の試行は、親局装置１からの指示によらない子局装置３−２の自発的な処理に基づく、光空間送受信機６−２１、６−２２から光空間送受信機６−３１、６−１２への上述の光空間通信の試行と、時間的に並行して行なわれる。
【００７２】
図１３に示した開通後の処理について説明する。光空間送受信機６−２１、６−２２のうちの１つ（図１３では光空間送受信機６−２１）、及び光空間送受信機６−１１、６−１２、６−３１、６−３２のうちの１つ（図１３では光空間送受信機６−３１）は、光空間通信ルートＦを確立する。伝送路障害となった区間の子局装置３−２は、伝送路障害となった区間の子局装置３−２に接続された複数の光空間送受信機６−２１、６−２２のうちの１つ（図１３では光空間送受信機６−２１）、伝送路障害となった区間の子局装置３−２に近接する子局装置３−１、３−３に接続された複数の光空間送受信機６−１１、６−１２、６−３１、６−３２のうちの１つ（図１３では光空間送受信機６−３１）、及び子局装置３−１、３−３のうちの１つ（図１３では子局装置３−３）を順に介して、親局装置１と通信する冗長通信ルートＲを備える。
【００７３】
このように、子局装置３−２に接続された複数の光空間送受信機６−２１、６−２２が、複数の子局装置３−１、３−３に接続された光空間送受信機６−１１、６−１２、６−３１、６−３２と光空間通信を試行するため、子局装置３−１又は３−３を介した親局装置１及び子局装置３−２の間の冗長通信ルートＲを早急に形成することができる。
【００７４】
子局装置３−１又は３−３が冗長通信ルートＲに含まれるように、親局装置１が起点となって子局装置３−１及び３−３に指示するため、冗長通信ルートＲを形成することができる。子局装置３−１又は３−３が冗長通信ルートＲに含まれるように、子局装置３−２が起点となって子局装置３−１及び３−３に依頼するため、冗長通信ルートＲを形成することができる。子局装置３−１又は３−３が冗長通信ルートＲに含まれるように、親局装置１が起点となって子局装置３−１及び３−３に指示するとともに、子局装置３−２が起点となって子局装置３−１及び３−３に依頼すれば、冗長通信ルートＲを早急に形成することができる。
【００７５】
図１３に示した処理では、子局装置３−２及び３−３の間で冗長通信ルートＲが形成されるのであって、子局装置３−２及び３−１の間で冗長通信ルートＲが形成されるのではない。つまり、図５に示したリストでは、子局装置３−２について、第１近接光空間送受信機６−３が接続されるのは子局装置３−３であり、第２近接光空間送受信機６−１が接続されるのは子局装置３−１である。よって、子局装置３−２及び３−３の間で冗長通信ルートＲを形成することができたときには、子局装置３−２及び３−１の間で冗長通信ルートＲを形成する必要がないのである。
【００７６】
（実施形態３）
実施形態１、２では、伝送路障害箇所Ｄは、１箇所のみであるが、実施形態３では、伝送路障害箇所Ｄは、複数の箇所である。図６から図９に示した処理を一回実行するのみでは、全ての切断子局装置３については、冗長通信ルートＲを形成することができなくても、図６から図９に示した処理をさらに実行することにより、残りの切断子局装置３についても、冗長通信ルートＲを形成することができる。
【００７７】
（実施形態４）
実施形態４では、実施形態１−３に加えて、光空間送受信機６同士で光空間通信を開始する際に、伝送路障害となった区間の子局装置３に接続された光空間送受信機６の接続待ち時間と、伝送路障害となった区間の子局装置３に近接する子局装置３に接続された光空間送受信機６の接続待ち時間とが異なるようにする。両接続待ち時間のうち、一方が他方より長くてもよく、当該一方が当該他方より短くてもよい。
【００７８】
両接続待ち時間が同一のときには、両子局装置３の間において、一回目の接続を失敗させると、それ以降の接続も失敗させる。よって、通信のすれ違いを防止することができないため、確実に冗長ルートを形成することができない。
【００７９】
両接続待ち時間が異なるときには、両子局装置３の間において、たとえ一回目の接続を失敗させたとしても、それ以降の接続を成功させることにより、通信のすれ違いを防止することができるため、確実に冗長ルートを形成することができる。
【００８０】
（実施形態５）
実施形態５では、実施形態１−４に加えて、子局装置３からの要求に応じて親局装置１が子局装置３へ占有帯域を割り当てる動的帯域割当制御を行う際に、冗長ルートにあって伝送路障害となった区間の子局装置３に近接する子局装置３への割当は他の子局装置３への割当よりも大きな重み付けとする。
【００８１】
つまり、自近接子局装置３が送信すべきデータを親局装置１に送信するうえに、切断子局装置３が送信すべきデータも親局装置１に送信する必要がある近接子局装置３には、上り帯域を多く割り当てる。よって、切断子局装置３以外の子局装置３の間で上り帯域割当の不公平感がなくなる。
【００８２】
（実施形態６）
実施形態６のＰＯＮの構成及び開通後の処理を図１４、１５に示す。図１４に示したＰＯＮは、図３に示したＰＯＮに対応しており、図１５に示したＰＯＮは、図１３に示したＰＯＮに対応している。図１４、１５に示したＰＯＮは、図３、１３に示したＰＯＮに加えて、分岐スプリッタ（ＢＳ）８をさらに備える。
【００８３】
ＢＳ８は、親局装置１からの光信号を子局装置３−３及び光空間送受信機６−３又は６−３１に分岐、又は子局装置３−３から親局装置１への光信号及び光空間送受信機６−３又は６−３１から親局装置１への光信号を結合する。伝送路障害となった区間の子局装置３−２は、子局装置３−３をバイパスしてＢＳ８を経由する冗長通信ルートＲを備える。
【００８４】
図１４、図１５では、ＢＳ８は、ＰＳ２及び子局装置３−３の間の個別光ファイバ５上に配置されているが、ＰＳ２及び他の子局装置３の間の個別光ファイバ５上に配置されてもよい。図１４、１５では、伝送路障害箇所Ｄは、ＰＳ２及び子局装置３−２の間の個別光ファイバ５上に発生しているが、ＰＳ２及び他の子局装置３の間の個別光ファイバ５上に発生してもよい。図１５では、冗長通信ルートＲは、ＢＳ８及び光空間送受信機６−３１を接続しているが、ＢＳ８及び光空間送受信機６−３２を接続してもよい。
【００８５】
よって、近接子局装置３に接続された光空間送受信機６は、光電変換なしでＢＳ８と光通信を行うことができて、切断子局装置３に接続された光空間送受信機６と光空間通信を行うことができる。そして、冗長通信ルートＲに含まれる近接子局装置３であっても、自近接子局装置３が送受信すべきデータを送受信すればよく、切断子局装置３が送受信すべきデータを送受信する必要がなく、データの送受信の処理負担を軽減することができる。
【００８６】
ここで、実施形態６では、冗長通信ルートＲは、近接子局装置３をバイパスして、ＢＳ８を経由する。よって、実施形態６では、実施形態５と異なり、上り帯域割当の重み付けを、近接子局装置３では他の子局装置３より大きくしなくてもよい。
【００８７】
（実施形態７）
実施形態７では、実施形態１−６に加えて、光空間送受信機６が光空間通信を行う際、予め登録されている送受信設定情報に基づいて、光空間送受信機６が光ビームの送信方向及び受信方向を決定する。ここで、送受信設定情報は、装置設置者が送受信強度に基づいて設定することができて、子局装置３が親局装置１に送信することができる。よって、切断子局装置３及び近接子局装置３の間の光空間通信の経路を確実に確立することができるため、確実に冗長通信ルートＲを形成することができる。
【００８８】
さらに、定期的に又は子局装置３の要求に応じて、親局装置１が当該子局装置３に当該子局装置３の送受信設定情報を配信する。よって、親局装置１が子局装置３の送受信設定情報をＤＢ管理して子局装置３に配信することができるため、子局装置３は自子局装置３の信頼性の高い送受信設定情報を取得することができる。
【産業上の利用可能性】
【００８９】
本発明に係る冗長化通信システムは、ポイントツーマルチポイントのＰＯＮにおいて、ＰＳ及び子局装置の間の通信経路に障害が発生したとき、適用することができる。
【符号の説明】
【００９０】
１：親局装置
２：パワースプリッタ（ＰＳ）
３、３−１、３−２、３−３、３−４、３−５、３−６、３−７、３−８：子局装置
４：共用光ファイバ
５：個別光ファイバ
６−１、６−２、６−３、６−４、６−５、６−６、６−７、６−８、６−１１、６−１２、６−２１、６−２２、６−３１、６−３２、６−４１、６−４２、６−５１、６−５２、６−６１、６−６２、６−７１、６−７２、６−８１、６−８２：光空間送受信機
７：子局光ファイバ
８：分岐スプリッタ（ＢＳ）
Ｄ：伝送路障害箇所
Ｆ：光空間通信ルート
Ｒ：冗長通信ルート
【図１】
2013243631.tif 000003
【図２】
2013243631.tif 000004
【図３】
2013243631.tif 000005
【図４】
2013243631.tif 000006
【図５】
2013243631.tif 000007
【図６】
2013243631.tif 000008
【図７】
2013243631.tif 000009
【図８】
2013243631.tif 000010
【図９】
2013243631.tif 000011
【図１０】
2013243631.tif 000012
【図１１】
2013243631.tif 000013
【図１２】
2013243631.tif 000014
【図１３】
2013243631.tif 000015
【図１４】
2013243631.tif 000016
【図１５】
2013243631.tif 000017